(57)【要約】【課題】ネックストラップが取り付けられて、使用者の首に吊り下げた状態で使用できる耳栓を提供する。【解決手段】耳の穴に挿入して使用し先端１３ａから後端１３ｂに渡って貫通する空気孔１２を備える一対の本体部１３と、空気孔に挿入する気圧調整用のピン部材１４と、ピン部材の基部１８に係止するネックストラップ１５とからなる耳栓１１であって、ピン部材の基部には、リング状の溝部が形成されており、ネックストラップの両端部には、リング部が形成されており、リング部を溝部に対して取り外し可能に係止した構成である。【選択図】図１
0003213346.tif 000002
【実用新案登録請求の範囲】
【請求項１】
耳の穴に挿入して使用し先端から後端に渡って貫通する空気孔を備える一対の本体部と、前記空気孔に挿入する気圧調整用のピン部材と、該ピン部材の基部に係止するネックストラップとからなる耳栓であって、
前記ピン部材の前記基部には、リング状の溝部が形成されており、
前記ネックストラップの両端部には、リング部が形成されており、
該リング部を前記溝部に対して取り外し可能に係止した構成であること
を特徴とする耳栓。
【請求項２】
前記ネックストラップは、シリコン製であること
を特徴とする請求項１に記載の耳栓。
【請求項３】
前記ネックストラップの一方の端部側には、小孔が形成されており、他方の端部側には、前記小孔に取り外し自在に嵌合する小突起が形成されており、
該小突起を前記小孔に嵌合させることで、前記ネックストラップを使用者の首に吊り下げた状態が安定して維持できる構成であること
を特徴とする請求項１に記載の耳栓。
【考案の詳細な説明】
【技術分野】
【０００１】
本考案は、遮音効果と気圧調整機能とを備える耳栓に関するものであり、更に詳しくは、ネックストラップが取り付けられて、使用者の首に吊り下げた状態で使用できる耳栓に関するものである。
【背景技術】
【０００２】
従来の耳栓としては、次のような構成のものが知られている。この耳栓は、本体部の円周面に沿って複数のヒダ部あるいはリング部が形成されており、後部側には、使用者が指で摘み易いように所要の長さの摘み部分が設けられている（特許文献１及び特許文献２参照）。
【０００３】
このような構成の耳栓は、外部の音を低減又は遮断する遮音効果や、フライト時の耳の痛みや不快感を軽減する気圧調整機能や、水泳時に水の浸入を防止する止水効果を有している。
【先行技術文献】
【特許文献】
【０００４】
【特許文献１】特開２０００−２０１９６４号公報
【特許文献２】特開平７−３０３６６９号公報
【考案の概要】
【考案が解決しようとする課題】
【０００５】
この従来例の耳栓においては、耳の穴に挿入する小さな形状なので、耳から取り外した時に、意に反して転がって紛失しやすく、その所在の確認が厄介であるという問題点を有している。
【０００６】
特に、飛行機の狭い座席スペースで耳栓を使用する場合には、耳から取り外した時に、その置き場所に困ったり、あるいは、転がってその所在が不明になりやすく、ふたたび使用する際に座席の周囲をあちこち探すことがあるという問題点を有している。
【０００７】
従って、従来例における耳栓においては、耳から取り外した時に、転がったり、紛失したりせずに、その所在の確認が容易にできて、特に飛行機の座席等の狭い場所においても使い勝手を向上することに解決しなければならない課題を有している。
【課題を解決するための手段】
【０００８】
前記従来例の課題を解決するための本考案の要旨は、耳の穴に挿入して使用し先端から後端に渡って貫通する空気孔を備える一対の本体部と、前記空気孔に挿入する気圧調整用のピン部材と、該ピン部材の基部に係止するネックストラップとからなる耳栓であって、前記ピン部材の前記基部には、リング状の溝部が形成されており、前記ネックストラップの両端部には、リング部が形成されており、該リング部を前記溝部に対して取り外し可能に係止した構成である。
【０００９】
また、前記ネックストラップは、シリコン製であること、；
前記ネックストラップの一方の端部側には、小孔が形成されており、他方の端部側には、前記小孔に取り外し自在に嵌合する小突起が形成されており、該小突起を前記小孔に嵌合させることで、前記ネックストラップを使用者の首に吊り下げた状態が安定して維持できる構成であること、；
を含むものである。
【考案の効果】
【００１０】
本考案に係る耳栓によれば、ピン部材の基部にネックストラップが取り付けられているので、使用者の首に吊り下げた状態で使用できる。
従って、耳栓を耳から取り外した時に、意に反して転がったり、紛失したりせず、その所在の確認が容易である。
特に、飛行機の座席等の狭い場所においても、耳栓の置き場所に困らず、紛失することがなく、使い勝手が良好である。
さらに、ピン部材の基部にはリング状の溝部が形成されており、また、ネックストラップの両端部にはリング部が形成されており、リング部を溝部に対して取り外し可能に係止した構成であることによって、ネックストラップの取り付けが簡単で、必要に応じてネックストラップを取り外すこともできるという種々の優れた効果を奏する。
【００１１】
ネックストラップは、シリコン製であることによって、絡みにくく、皮膚に触れても刺激が少なく、肌にやさしいという優れた効果を奏する。
【００１２】
ネックストラップの一方の端部側には、小孔が形成されており、他方の端部側には、小孔に取り外し自在に嵌合する小突起が形成されており、小突起を小孔に嵌合させることで、ネックストラップを使用者の首に吊り下げた状態が安定して維持できる構成であることによって、耳栓を耳から取り外した時に、置き場所に困ることがなく、ずり落ちて紛失することもなく、所在の確認が極めて容易である。
つまり、耳栓を耳から取り外した時に、首もとに吊り下げておけるので、特に飛行機の座席等の狭い場所においては、置き場所に困らず、ずり落ちや、紛失のおそれがなく、使い勝手が極めて良好であるという種々の優れた効果を奏する。
【図面の簡単な説明】
【００１３】
【図１】本考案に係る耳栓１１の斜視図である。
【図２】本体部１３とピン部材１４とを分離した状態の正面図である。
【図３】本体部１３の空気孔１２にピン部材１４の棒状部１７を挿入した状態の断面図である。
【図４】ネックストラップ１５の斜視図である。
【図５】ピン部材１４とネックストラップ１５のリング部２０とを示す斜視図である。
【図６】ネックストラップ１５を使用者の首に吊り下げて、小突起２２を小孔２１に嵌合した状態の説明図である。
【考案を実施するための形態】
【００１４】
次に、本考案の実施の形態について図面を参照しながら説明する。まず、図１において、符号１１は耳栓を示し、この耳栓１１は、耳の穴に挿入して使用し先端１３ａから後端１３ｂに渡って貫通する空気孔１２を備える本体部１３と（図２及び図３参照）、空気孔１２に挿入する気圧調整用のピン部材１４と（図２及び図３参照）、ピン部材１４の基部１８に係止するネックストラップ１５と（図４参照）から構成される。
【００１５】
本体部１３は、軟質のシリコン材で一体に形成されており、所要の長さを有している。また、図２に示すように、本体部１３の周面に沿って、傘形状の傘状部１６が複数形成されている。傘状部１６は、本体部１３を耳の穴に挿入した時に、穴の内周面にピッタリと密着するようになっている。
本体部１３の中心部分における先端１３ａから後端１３ｂに渡っては、図３に示すように、空気孔１２が貫通した状態で形成されている。
【００１６】
ピン部材１４は、ポリプロピレン等の合成樹脂材で一体に形成されており、図２に示すように、空気孔１２に挿入する棒状部１７と、棒状部１７の端部に設けられる基部１８とからなる。
棒状部１７は、本体部１３の空気孔１２に挿入する部位であり、フライト時においては、空気孔１２内の空気の流れを制御して、急激な気圧の変化をゆっくりと調整する役目を果たす。従って、フライト時の耳の痛みや、不快感を軽減することができる。
基部１８には、リング状の溝部１９が形成されている。
【００１７】
ネックストラップ１５は、シリコン材で一体に形成されて、図４に示すように、所要の長さの紐状に形成されており、使用者の首に掛けて使用する。
ネックストラップ１５はシリコン材なので、絡みにくく、皮膚に触れても刺激が少なく、肌にやさしいという特徴がある。
ネックストラップ１５の両方の端部には、リング部２０が形成されている。リング部２０は、図５に示すように、ピン部材１４の溝部１９に取り外し可能に係止する。
【００１８】
ネックストラップ１５の一方の端部側には、図４に示すように、小孔２１が形成されている。また、他方の端部側には、小突起２２が形成されている。
小突起２２は、小孔２１に取り外し自在に嵌合できるようになっており、小突起２２を小孔２１に嵌合させることで、ネックストラップ１５を使用者の首に吊り下げた状態が安定して維持できる（図６参照）。つまり、ネックストラップ１５が首もとからずり落ちない。
【００１９】
以上のように構成される耳栓１１は、ピン部材１４の基部１８にネックストラップ１５が取り付けられているので、図６に示すように、使用者の首に吊り下げた状態で使用できる。
従って、耳栓１１を耳から取り外した時に、意に反して転がったり、紛失したりせず、その所在の確認が容易である。
特に、飛行機の座席等の狭い場所においても、耳栓１１の置き場所に困らず、紛失することがなく、使い勝手が良好である。
【００２０】
さらに、ピン部材１４の基部１８にはリング状の溝部１９が形成されており、また、ネックストラップ１５の両方の端部にはリング部２０が形成されており、リング部２０を溝部１９に対して取り外し可能に係止した構成であることによって（図５参照）、ネックストラップ１５の取り付けが簡単で、必要に応じてネックストラップ１５を取り外すこともできる。
【００２１】
ネックストラップ１５の一方の端部側には、小孔２１が形成されており、他方の端部側には、小孔２１に取り外し自在に嵌合する小突起２２が形成されており、小突起２２を小孔２１に嵌合させることで、ネックストラップ１５を使用者の首に吊り下げた状態がずり落ちることなく、安定して維持できる構成である（図６参照）。
従って、耳栓１１を耳から取り外した時に、置き場所に困ることがなく、ずり落ちて紛失することもなく、所在の確認が極めて容易である。
つまり、耳栓１１を耳から取り外した時に、首もとに吊り下げておけるので、特に飛行機の座席等の狭い場所においては、置き場所に困らず、ずり落ちや、紛失のおそれがなく、使い勝手が極めて良好である。
【符号の説明】
【００２２】
１１  耳栓
１２  空気孔
１３  本体部
１３ａ先端
１３ｂ後端
１４  ピン部材
１５  ネックストラップ
１６  傘状部
１７  棒状部
１８  基部
１９  溝部
２０  リング部
２１  小孔
２２  小突起
【図１】
0003213346.tif 000003
【図２】
0003213346.tif 000004
【図３】
0003213346.tif 000005
【図４】
0003213346.tif 000006
【図５】
0003213346.tif 000007
【図６】
0003213346.tif 000008